(57)【要約】  【課題】  回路規模を増大することなく、音声チャネル１と音声チャネル２による送受話器とスピーカ・マイクの通話をダイナミックに切り替えることができるボタン電話装置の電話機端末を提供することにある。  【解決手段】  電話機端末１０は主制御装置に接続される伝送回路１１と、音声チャネル１と２を送受話器１３とスピーカ・マイク１４に接続する音声チャネル制御回路１２とを有する。該音声チャネル制御回路１２は、チャネル切り替え信号によってチャネル切り替えが指示されると、音声チャネル１と２のそれぞれによる送受話器とスピーカ・マイクの通話を、空間分割により、または時分割により、音声チャネル２と１のそれぞれによる送受話器とスピーカ・マイクの通話に切り替える  【選択図】  図２
2007020052.tif 000002
【特許請求の範囲】
【請求項１】
音声チャネルとして２つのチャネルを用いて主制御装置と音声データの送受信を行うボタン電話装置の電話機端末において、
音声チャネル１，２の音声データを、送受話器およびスピーカ・マイクに選択的に接続する音声チャネル制御回路を具備し、
該音声チャネル制御回路は、前記音声チャネル１と２による送受話器とスピーカ・マイクの通話を切り替えることを特徴とするボタン電話装置の電話機端末。
【請求項２】
請求項１に記載のボタン電話装置の電話機端末において、
前記音声チャネル制御回路は、チャネル切り替え信号によってチャネル切り替えが指示されると、音声チャネル１と２のそれぞれによる送受話器とスピーカ・マイクの通話を、音声チャネル２と１のそれぞれによる送受話器とスピーカ・マイクの通話に切り替えることを特徴とするボタン電話装置の電話機端末。
【請求項３】
請求項１に記載のボタン電話装置の電話機端末において、
前記音声チャネル１，２は、音声チャネル同期信号１，２に従って前記送受話器およびスピーカ・マイクに選択的に接続され、
前記音声チャネル制御回路は、チャネル切り替え信号によってチャネル切り替えが指示されると、前記音声チャネル１，２と音声チャネル同期信号１，２との対応関係を逆に切り替えることを特徴とするボタン電話装置の電話機端末。
【請求項４】
請求項１ないし３のいずれかに記載のボタン電話装置の電話機端末において、
前記スピーカ・マイクの通話回路のみに、信号処理回路を接続したことを特徴とするボタン電話装置の電話機端末。
【発明の詳細な説明】
【技術分野】
【０００１】
この発明は音声情報チャネルとして２つのチャネルを用いて主制御装置と音声データの送受信を行うボタン電話装置に関し、特に該音声情報チャネルの入出力を切り替えることにより、ボタン電話機端末の回路を軽減できるようにするボタン電話装置の電話機端末に関する。
【背景技術】
【０００２】
従来のボタン電話機端末の構成例を、図８を参照して説明する。ボタン電話機端末は、伝送回路５１によって、図示されていない主制御装置と、音声チャネル１および音声チャネル２の上り・下りの伝送を行う。
【０００３】
音声チャネル１を送受話器による通話、音声チャネル２をスピーカとマイクロフォン（以下、マイク）による通話に割り当てる場合、次のように接続される。すなわち、伝送回路５１に入出力する音声チャネル１のＰＣＭデータは、ＰＣＭ符号化・復号化回路５２、上り下りの増幅器（ＡＭＰ）を経て、送受話器（ハンドセット）５３に接続される。一方、音声チャネル２のＰＣＭデータは、信号処理回路５５、ＰＣＭ符号化・復号化回路５６および上り下り増幅器（ＡＭＰ）を経て、スピーカ５７、マイク５８に接続される。ここに、前記信号処理回路５５は、スピーカ５７とマイク５８により発生するエコーを消去するための回路である。
【０００４】
なお、本願発明に関連する従来技術を開示した特許文献として、下記の特許文献１がある。
【特許文献１】特開平１１−２６２０４１号公報
【発明の開示】
【発明が解決しようとする課題】
【０００５】
前記した従来のボタン電話装置では、音声チャネル１と音声チャネル２による送受話器５３とスピーカ・マイクの通話をダイナミックに切り替えようとすると、伝送回路５１とＰＣＭ符号化・復号化回路５２との間にも、エコーを消去するための信号処理回路を接続する必要が生じ、回路規模が増大するという課題があった。
【０００６】
本発明の目的は、前記従来技術の課題を解消し、回路規模を増大することなく、音声チャネル１と音声チャネル２による送受話器とスピーカ・マイクの通話をダイナミックに切り替えることができるボタン電話装置の電話機端末を提供することにある。
【課題を解決するための手段】
【０００７】
前記した目的を達成するために、本発明は、音声チャネルとして２つのチャネルを用いて主制御装置と音声データの送受信を行うボタン電話装置の電話機端末において、音声チャネル１，２の音声データを、送受話器およびスピーカ・マイクに選択的に接続する音声チャネル制御回路を具備し、該音声チャネル制御回路は、前記音声チャネル１と２による送受話器とスピーカ・マイクの通話を切り替えるようにした点に第１の特徴がある。
【０００８】
また、本発明は、前記音声チャネル制御回路は、チャネル切り替え信号によってチャネル切り替えが指示されると、音声チャネル１と２のそれぞれによる送受話器とスピーカ・マイクの通話を、音声チャネル２と１のそれぞれによる送受話器とスピーカ・マイクの通話に切り替えるようにした点に第２の特徴がある。
【０００９】
さらに、本発明は、前記音声チャネル１，２は、音声チャネル同期信号１，２に従って前記送受話器およびスピーカ・マイクに選択的に接続され、前記音声チャネル制御回路は、チャネル切り替え信号によってチャネル切り替えが指示されると、前記音声チャネル１，２と音声チャネル同期信号１，２との対応関係を逆に切り替えるようにした点に第３の特徴がある。
【発明の効果】
【００１０】
本発明によれば、音声チャネル１と音声チャネル２による送受話器とスピーカ・マイクの通話の切替を、回路規模を増大することなく行えるという効果がある。
【００１１】
また、前記通話の切替を、ボタン電話装置の電話機端末の処理のみで、換言すれば、主制御装置に何らの負担をかけることなく行えるという効果がある。
【発明を実施するための最良の形態】
【００１２】
以下に、図面を参照して、本発明を詳細に説明する。図１は、主制御装置の概略の構成を示すブロック図である。
【００１３】
主制御装置１は、電話機端末１０との間で、同期回路２を介して、音声情報チャネル１と音声情報チャネル２および制御情報の送受信を行う。音声情報は、中央演算部３からの音声チャネル交換スイッチ４の制御により、電話機端末間および局線回路５に、交換接続することができる。一方、電話機端末１０の制御情報は、中央演算部３によって制御情報メモリ６への書き込み、読み出しを行うことで、データの送受信を行う。
【００１４】
次に、前記電話機端末１０の構成の一実施形態を説明する。図２は該電話機端末１０の全体構成を示すブロック図、図３、図４は、それぞれ該電話機端末１０の中の伝送回路１１、音声チャネル制御回路１２の具体的構成を示すブロック図である。なお、図２において、図８と同等な一部の物には同じ符号が付されている。
【００１５】
図２に示されているように、電話機端末１０は、伝送回路１１および音声チャネル制御回路１２を有する。電話機端末１０は、伝送回路１１によって、前記主制御装置１と、音声チャネル１、音声チャネル２の上り・下りの伝送を行う。該上り・下りの音声チャネル１、音声チャネル２のＰＣＭデータは、音声チャネル制御回路１２によって、送受話器１３の回路、またはスピーカ・マイク１４の回路のいずれかを選択する。
【００１６】
前記伝送回路１１は、図３に示されているように、同期回路２１，音声チャネルメモリ２２，２３，および制御情報メモリ２４から構成されている。同期回路２１は、送受信するデータを同期的に、音声チャネルメモリ１（２２）および音声チャネルメモリ２（２３）に書き込んだり、読み出したりする。同期回路２１からは、音声チャネル同期信号１，２が出力される。これらの音声チャネル同期信号１，２については、後述する。
【００１７】
前記音声チャネル制御回路１２は、図４に示されているように、音声チャネル１受信データバッファメモリ３１，音声チャネル１送信データバッファメモリ３２，音声チャネル２受信データバッファメモリ３３，音声チャネル２送信データバッファメモリ３４，およびチャネル切り替え部３５から構成されている。該音声チャネル制御回路１２は、上り・下りの音声チャネル１、音声チャネル２のＰＣＭデータを、前記送受信バッファメモリ３１〜３４に記憶し、前記チャネル切り替え部３５によって、ＰＣＭデータ入出力１、またはＰＣＭデータ入出力２のいずれかを選択して入出力することができる。
【００１８】
次に、本実施形態の動作を図４、図５を参照して説明する。図４の音声チャネル１で送受話器１３による通話を行い、音声チャネル２でスピーカ・マイクによる通話を行う場合には、ユーザによって操作される図示されていない選択スイッチの選択信号によりチャネル切替信号が例えばＬ（ロウ）レベルにされ、チャネル切り替え部３５は図４のように、あるいは図５に示されているように接続される。すなわち、ＰＣＭデータ出力１，ＰＣＭデータ入力１のそれぞれには、下りチャネル１、上りチャネル１が接続され、ＰＣＭデータ出力２，ＰＣＭデータ入力２のそれぞれには、下りチャネル２、上りチャネル２が接続される。
【００１９】
次に、音声チャネル１でスピーカ・マイク１４による通話を行い、音声チャネル２で送受話器１３による通話を行うようにダイナミックに切り替えられる場合には、ユーザによって操作される前記選択スイッチの選択信号によりチャネル切替信号が例えばＨ（ハイ）レベルにされ、チャネル切り替え部３５は図４とは逆の接点に接続される。すなわち、ＰＣＭデータ出力１，ＰＣＭデータ入力１のそれぞれには、下りチャネル２、上りチャネル２が接続され、ＰＣＭデータ出力２，ＰＣＭデータ入力２のそれぞれには、下りチャネル１、上りチャネル１が接続される。
【００２０】
この結果、音声チャネル１受信データバッファメモリ３１，音声チャネル１送信データバッファメモリ３２に一旦蓄積された音声チャネル１のデータは、スピーカ・マイク１４に接続され、一方、音声チャネル２受信データバッファメモリ３３，音声チャネル２送信データバッファメモリ３４に一旦蓄積された音声チャネル２のデータは、送受話器１３に接続される。
【００２１】
このように、本実施形態によれば、音声チャネル１，２による送受話器１３とスピーカ・マイク１４の通話をダイナミックに切り替えても、スピーカ・マイク１４の通話には常にエコーを消去するための信号処理回路が接続されることになるので、該信号処理回路を増設する必要がなくなる。
【００２２】
次に、本発明の第２実施形態を、図６、図７を参照して説明する。この実施形態が前記第１実施形態と異なる点は、第１実施形態が音声チャネル１，２を空間分割しているのに対して、第２実施形態は時分割した点である。なお、図６において、図２、図８と同等な一部の物には、同じ符号が付されている。
【００２３】
図６は本実施形態の電話機端末１０の構成を示すブロック図であり、音声チャネル制御回路４１には、前記チャネル切り替え信号と、図３の同期回路２１から出力された音声チャネル同期信号１，２が入力される。音声チャネル制御回路４１は、これらの信号により、図６、図７に示されているように、ＰＣＭデータ出力およびＰＣＭデータ入力に、下り音声チャネル１，上り音声チャネル１，下り音声チャネル２および上り音声チャネル２を接続する。また、ＰＣＭ符号化・復号化回路４２は音声チャネル同期信号１がＨレベルの間だけイネーブルになり、一方ＰＣＭ符号化・復号化回路４３は音声チャネル同期信号２がＨレベルの間だけイネーブルになる。
【００２４】
次に、動作を説明すると、図６の音声チャネル１で送受話器１３による通話を行い、音声チャネル２でスピーカ・マイクによる通話を行う場合には、ユーザによって操作される図示されていない選択スイッチの選択信号によりチャネル切替信号が例えばＬ（ロウ）レベルにされる。そうすると、音声チャネル同期信号１がＨレベルの間は、ＰＣＭデータ出力およびＰＣＭデータ入力に、それぞれ下りチャネル１、上りチャネル１が接続され、ＰＣＭ符号化・復号化回路４２がイネーブル、ＰＣＭ符号化・復号化回路４３はディセーブルであるので、送受話器１３に接続される。一方、音声チャネル同期信号２がＨレベルの間は、ＰＣＭデータ出力およびＰＣＭデータ入力に、それぞれ下りチャネル２、上りチャネル２が接続され、ＰＣＭ符号化・復号化回路４２がディセーブル、ＰＣＭ符号化・復号化回路４３はイネーブルであるので、スピーカ・マイク１４に接続される。
【００２５】
次いで、音声チャネル１でスピーカ・マイク１４による通話を行い、音声チャネル２で送受話器１３による通話を行うようにダイナミックに切り替えられる場合には、ユーザによって操作される前記選択スイッチの選択信号によりチャネル切替信号が例えばＨ（ハイ）レベルにされる。そうすると、音声チャネル同期信号１がＨレベルの間は、ＰＣＭデータ出力およびＰＣＭデータ入力に、それぞれ下りチャネル２、上りチャネル２が接続され、ＰＣＭ符号化・復号化回路４２がイネーブル、ＰＣＭ符号化・復号化回路４３はディセーブルであるので、下りチャネル２、上りチャネル２は送受話器１３に接続される。一方、音声チャネル同期信号２がＨレベルの間は、ＰＣＭデータ出力およびＰＣＭデータ入力に、それぞれ下りチャネル１、上りチャネル１が接続され、ＰＣＭ符号化・復号化回路４２がディセーブル、ＰＣＭ符号化・復号化回路４３はイネーブルであるので、下りチャネル１、上りチャネル１はスピーカ・マイク１４に接続される。
【００２６】
このように、音声チャネル１のデータは、スピーカ・マイク１４に接続され、一方、音声チャネル２のデータは、送受話器１３に接続されることになり、本実施形態によれば、音声チャネル１，２による送受話器１３とスピーカ・マイク１４の通話をダイナミックに切り替えても、該スピーカ・マイク１４の通話回路には常にエコーを消去するための信号処理回路が接続されるから、該信号処理回路を増設する必要がなくなる。
【００２７】
また、本発明によれば、主制御装置側では、電話機端末の音声チャネル１と２が、送受話器による通話かスピーカ・マイクによる通話かによってチャネル切替をすることを必要とせずに、換言すれば主制御装置に何らの負担をかけることなく、前記音声チャネル１と２を送受話器による通話かスピーカ・マイクによる通話かに切り替えることができる。
【図面の簡単な説明】
【００２８】
【図１】ボタン電話装置の主制御装置の概略の構成を示すブロック図である。
【図２】本発明の第１実施形態の電話機端末の構成を示すブロック図である。
【図３】図２の伝送回路１１の概略の構成を示すブロック図である。
【図４】図２の音声チャネル制御回路の概略の構成を示すブロック図である。
【図５】音声チャネル制御回路の動作を説明する図である。
【図６】本発明の第２実施形態の電話機端末の構成を示すブロック図である。
【図７】音声チャネル制御回路の動作を説明する図である。
【図８】従来の電話機端末の構成を示すブロック図である。
【符号の説明】
【００２９】
１・・・主制御装置、１０・・・電話機端末、１１・・・伝送回路、１２，４１・・・音声チャネル制御回路、１３・・・送受話器（ハンドセット）、１４・・・スピーカ・マイク、５５・・・信号処理回路。
【図１】
2007020052.tif 000003
【図２】
2007020052.tif 000004
【図３】
2007020052.tif 000005
【図４】
2007020052.tif 000006
【図５】
2007020052.tif 000007
【図６】
2007020052.tif 000008
【図７】
2007020052.tif 000009
【図８】
2007020052.tif 000010